(57)【要約】      （修正有）【課題】設置作業が迅速に行なえ、土嚢袋に適宜な重量を与えることにより耐圧にも耐える連結土嚢袋を提供する。【解決手段】内部に、水溶紙にくるまれた吸水性ポリマーを入れた吸水性の土嚢袋１において、土嚢袋１と土嚢袋１との間に、土嚢袋１袋分、あるいは２袋分の間隔部Ｘを設け、該間隔部Ｘに連結部材２を設けて連結し、該連結部材２に土嚢袋１を嵌着して、上下・左右に位置する連結土嚢袋１がそれぞれ噛み合った状態で複数段積み重ねて使用する。【選択図】図１
0003213690.tif 000002
【実用新案登録請求の範囲】
【請求項１】
内部に、水溶紙にくるまれた吸水性ポリマーを入れた吸水性の土嚢袋（１）において、
土嚢袋（１）と土嚢袋（１）との間に、土嚢袋１袋分、あるいは２袋分の間隔部（Ｘ）を設け、
該間隔部（Ｘ）に連結部材（２）を設けて連結し、
該連結部材に土嚢袋を嵌着して、上下・左右に位置する連結土嚢袋がそれぞれ噛み合った状態で複数段積み重ねて使用する
ことを特徴とする連結土嚢袋。
【請求項２】
前記連結部材（２）が、土嚢袋（１）と同じ素材である
ことを特徴とする請求項１記載の連結土嚢袋。
【請求項３】
前記土嚢袋（１）が、前記連結部材（２）と同じ素材であり、
且つ、一重構造の麻袋であり、
該袋内部に、水溶紙にくるまれた吸水性ポリマーを入れた吸水性土嚢である
ことを特徴とする請求項１または２記載の連結土嚢袋。
【請求項４】
土嚢袋（１）と土嚢袋（１）との間に、土嚢袋１袋分、あるいは２袋分の間隔部（Ｘ）を設け、
該間隔部（Ｘ）に連結部材（２）を設けて連結し、該連結部材に土嚢袋を嵌着して、
上下・左右に位置する連結土嚢袋がそれぞれ噛み合った状態で複数段積み重ねて使用する連結土嚢袋、多数個を
フレキシブルコンテナバック（Ｚ）に充填する
ことを特徴とする請求項１記載の連結土嚢袋。
【考案の詳細な説明】
【技術分野】
【０００１】
この考案は、連結土嚢袋に関するものである。
【０００２】
従来、土嚢は、堤防の決壊、高潮等の水害に対し、布袋内に土砂を詰め袋を縛り、これらを決壊箇所に複数個並べ複数段積み上げることにより水や土砂の移動を妨げて被害を低減するものである。
【０００３】
しかし、袋に土砂を詰め込む作業の煩雑さから、アクアブロック（登録商標）という袋の中に吸水性ポリマーを入れた土嚢が本願出願人より開発され、この袋を水を張った容器内に浸すことにより袋内が膨張し、重さ２０ｋｇの土嚢になり、近年この土嚢が利用されている。例えば、特許文献１のように。
【０００４】
また、水溶紙もしくは水溶性樹脂フィルム袋に水膨潤性吸水樹脂を入れた中材を含む土壌袋キットであって、中材を挿入した袋の開放部から水道水を供給して開口部を紐で縛る土嚢袋キットは存在した。例えば、特許文献２のように。
【先行技術文献】
【特許文献】
【０００５】
【特許文献１】登録実用新案第３１２８１９３号公報
【特許文献２】特許第５６６３６９１号公報
【考案の概要】
【考案が解決しようとする課題】
【０００６】
そこで、この考案が解決しようとする課題は、土嚢袋にさらに工夫・改良を重ね、設置作業が迅速に行なえ、土嚢袋に適宜な重量を与えることにより耐圧力に優れた連結土嚢袋を開発・提供することにある。
【課題を解決するための手段】
【０００７】
この考案の連結土嚢袋は、
内部に、水溶紙にくるまれた吸水性ポリマーを入れた吸水性の土嚢袋において、
土嚢袋と土嚢袋との間に、土嚢袋１袋分、あるいは２袋分の間隔部を設け、
該間隔部に連結部材を設けて連結し、
該連結部材に土嚢袋を嵌着して、上下・左右に位置する連結土嚢袋がそれぞれ噛み合った状態で複数段積み重ねて使用する
ことを特徴とする。
【０００８】
前記連結部材が、土嚢袋と同じ素材である
ことを特徴とする。
【０００９】
前記土嚢袋が、前記連結部材と同じ素材であり、
且つ、一重構造の麻袋であり、
該袋内部に、水溶紙にくるまれた吸水性ポリマーを入れた吸水性土嚢である
ことを特徴とする。
【００１０】
土嚢袋と土嚢袋との間に、土嚢袋１袋分、あるいは２袋分の間隔部を設け、
該間隔部に連結部材を設けて連結し、該連結部材に土嚢袋を嵌着して、
上下・左右に位置する連結土嚢袋がそれぞれ噛み合った状態で複数段積み重ねて使用する連結土嚢袋、多数個を
フレキシブルコンテナバックに充填する
ことを特徴とする。
【考案の効果】
【００１１】
この考案によると、土嚢袋と土嚢袋との間に、土嚢袋１袋分、あるいは複数袋分の間隔部を設け、該間隔部に連結部材を設けて連結することにより、土嚢袋単体（１個分）の重量だけでなく連結された土嚢袋の重量を有し、さらに上下・左右に位置する連結土嚢袋がそれぞれ噛み合った状態で複数段積み重ねられる結果、堅牢であり耐圧強度が増し、例えば、住宅まわりから入り込む水を阻止したり、河川の決壊箇所から市街地や田畑に流れ込む水を阻止することが可能である。
【００１２】
また、土嚢袋の素材が、麻袋を使用するため滑りにくく、また、使用後は燃やすことができ環境に優しく、吸水時間の短縮ならびに内部の吸水性ポリマーの流出が少なくなる等の効果を有する。
【００１３】
さらに、決壊箇所が激しい場合には、この考案の連結土嚢袋を大型の袋（フレキシブルコンテナバック）に詰め込むことにより、簡易、迅速に作業ができる等の極めて有益なる効果を奏する。
【図面の簡単な説明】
【００１４】
【図１】この考案の一実施例を示し、（Ａ）は、平面図であり、（Ｂ）は、斜視図であり、（Ｃ）は、図１（Ａ）ａ−ａ断面図である。
【図２】この考案の使用状態を示す説明図である。
【図３】この考案のさらに別の使用状態を示す説明図である。
【図４】この考案の他の実施例を示し、（Ａ）は、平面図であり、（Ｂ）は、斜視図であり、（Ｃ）は、図４（Ａ）ａ−ａ断面図である。
【図５】この考案の使用状態を示す説明図である。
【図６】この考案のさらに別の使用状態を示し、（Ａ）は、二段重ねの場合、（Ｂ）は一段重ねの場合をそれぞれ示す説明図である。
【図７】この考案に使用する容器の一実施例を示す斜視図である。
【考案を実施するための形態】
【００１５】
以下、この考案について詳細に説明する。尚、この考案においては、以下の記述に限定されるものではなく、この考案の要旨を逸脱しない範囲においては適宜変更可能である。
【実施例】
【００１６】
先ず、この考案の連結土嚢袋の一実施例を図１に基づいて詳述すると、土嚢袋（１）において、土嚢袋（１）と土嚢袋（１）との間に、土嚢袋１袋分の間隔部（Ｘ）を設け、該間隔部（Ｘ）に連結部材（２）を設けて連結したことを特徴とする連結土嚢袋から構成されるものである。
【００１７】
そして、前記連結土嚢袋における土嚢袋（１）の素材の一例を述べると、麻糸を用い、縦糸と横糸を用いて麻布シートを織り、該麻布シートを二つ折りにして一重構造の麻袋を形成し、該袋内部に、水溶紙が溶解し易い紙袋（即ち、水溶袋）に吸水性ポリマーをくるみ、或いは、周囲を溶け易い糊で糊付けした紙袋に吸水性ポリマーを収納し、これら袋内に、紙袋収納型ポリマーを三個入れて、該袋の横辺と底辺を内縫いとし、他の開口部辺を外縫いとして麻袋としたものである。
【００１８】
さらに、前記土嚢袋（１）と連結部材（２）との連結手段の一例を述べると、土嚢袋（１）と連結部材（２）とを縫着により連結するものであり、製造作業・製造工程が簡単であり、また、前記連結部材（２）の素材は、土嚢袋（１）と同一素材である麻布シートで構成したものであり、土嚢袋（１）と同一素材を用いることにより、原料コストの低減が図れるものである。
【００１９】
さらに、前述のように前記土嚢袋（１）は、厚さは２ｍｍの麻袋であるが、約３分で水を吸収し、重さ２０Ｋｇの土嚢となるものである。但し、前記土嚢袋（１）は、一例に過ぎず、他の構成をした袋内に土砂を入れる土嚢袋であってもよいものである。
【００２０】
そして、本願考案の連結土嚢袋のうち前記間隔部（Ｘ）に、土嚢袋（１）を１袋分あけた連結土嚢袋の使用方法の一例を述べると、図２には一段重ねの使用前・後の説明図、図３には二段重ねの使用前・後の説明図にそれぞれ示すように、前者は、地面（Ｙ）に土嚢袋（１）と土嚢袋（１）との間に、土嚢袋が１個入る連結土嚢袋３組を、土嚢袋（１）１個分の間隔を保持してそれぞれ並設し、次に、これら並設した３組の連結土嚢袋の上に、新たに３組の連結土嚢袋を、連結部材の上に一方の土嚢袋を嵌着し、他方の土嚢袋を、１個分の間隔を保持した部分に嵌着し、他の２組の連結土嚢袋も同様に行ない一段目を形成するものである。このように、順次、三段、四段と積み重ねてゆくものである。
【００２１】
次に、この考案の連結土嚢袋の他の実施例について図４に基づいて詳述すると、土嚢袋（１）において、土嚢袋（１）と土嚢袋（１）との間に、土嚢袋２袋分の間隔部（Ｘ′）を設け、該間隔部（Ｘ′）に連結部材（２′）を設けて連結したことを特徴とする連結土嚢袋から構成されるものである。なお、土嚢袋（１）の素材や、土嚢袋（１）と連結部材（２′）との連結手段は前述したものと同様である。
【００２２】
そして、本願考案の連結土嚢袋のうち前記間隔部（Ｘ）に、土嚢袋（１）を２袋分間隔をあけた連結土嚢袋の使用方法の一例を述べると、図５には一段重ねの使用前・後の説明図であり、図６（Ａ）は、二段重ねの使用前・後の説明図であり、さらに図６（Ｂ）には一段重ねの使用前・後の説明図である。そして、図５に示す使用方法は、地面（Ｙ）に土嚢袋（１）と土嚢袋（１）との間に、土嚢袋が２個入る連結土嚢袋３組を、それぞれ両端の土嚢袋（１）が隣接の土嚢袋（１）と間隔を設けないでそれぞれ並設し、次に、これら並設した３組の連結土嚢袋の上に、新たに３組（但し、２組は完全な状態の連結土嚢袋を示し、残り１組は、左右にそれぞれ連結土嚢袋の半分が図示されている。）を設け、これらの連結土嚢袋の連結部材（２′）が、前記の間隔を設けないで並設された２つの土嚢袋（１）連接された上に被せるように載置することにより、一段目を形成するものである。
【００２３】
次に、一段目から複数段を積み重ねる場合には、前述の一段目を形成する方法と同じであるが、二段目、三段目とピラミット状に積み重ねる場合には、図６（Ａ）に示すように、二段目に、前記連結土嚢袋（１）２組を隣接の土嚢袋（１）と間隔部を設けないでそれぞれ並設し、次に、これらの連結土嚢袋（１）の外側に位置する土嚢袋（１）、（１）をそれぞれ連結部材（２′）側に向けて折り曲げ、それぞれの連結部材（２′）の間隔を１袋分の間隔に狭めて、その上から新たに１組の連結土嚢袋の連結部材（２′）を連接された土嚢袋（１）（１）上に被せて積み重ねるものである。
【００２４】
また、他の方法として図６（Ｂ）に示すように、先ず、２組分の土嚢袋（１）の間隔を有する間隔部を有する連結土嚢袋を載置し、一方の土嚢袋（１）を、他方の土嚢袋（１）側に折り曲げ、連結部材（２′）の間隔部を１袋分の間隔に形成し、この１袋分の間隔部に、新たな連結土嚢袋の一方を嵌着し、残った１袋分の間隔部に、さらに新たな連結土嚢袋の一方の土嚢袋（１）を嵌着し、順次新たな連結土嚢袋の土嚢袋で嵌着し、最後の連結土嚢袋は、他方の土嚢袋（１）を連結部材（２′）方向に折り曲げて終了するものである。
【００２５】
次に、この考案の連結土嚢袋の使用方法の一実施例を図７に基づいて説明すると、土嚢袋（１）と土嚢袋（１）との間に、土嚢１袋分、あるいは２袋分の間隔部（Ｘ）を設け、該間隔部（Ｘ）に連結部材（２）を設けて連結した連結土嚢袋、あるいは、土砂を入れた土嚢袋多数個を、フレキシブルコンテナバック（Ｚ）に充填することを特徴とする連結土嚢袋の使用方法から構成されるものである。
【００２６】
なお、フレキシブルコンテナバック（Ｚ）とは、図７に示すように、ポリエチレンやポリプロピレン等の丈夫な化学繊維で織られたシートとベルトより構成され、穀物や飼料、土砂などの粉状物質を梱包・輸送する容器である。
【産業上の利用可能性】
【００２７】
この考案の連結土嚢袋の技術を確立し、実施することにより、産業上利用できるものである。
【符号の説明】
【００２８】
１、１  土嚢袋
２、２′連結部材
Ｘ、Ｘ′間隔部
Ｙ      地面
Ｚ      フレキシブルコンテナバック
【図１】
0003213690.tif 000003
【図２】
0003213690.tif 000004
【図３】
0003213690.tif 000005
【図４】
0003213690.tif 000006
【図５】
0003213690.tif 000007
【図６】
0003213690.tif 000008
【図７】
0003213690.tif 000009